(57)【要約】【課題】シャフトに対してサンバイザ本体をシャフトの軸方向に沿ってスライド操作できるスライド式サンバイザにおいて、所定のスライド位置でサンバイザ本体を確実に位置決め保持できるとともに、スライド操作時の操作性を高める。【解決手段】サンバイザ本体２０のガイド部Ｇ内にシャフト３０を軸受けするサポートアッセンブリ４０をシャフト３０の軸方向に沿ってスライド自在に収容するスライド式サンバイザ１０であって、サンバイザ本体２０のガイド部Ｇとサポートアッセンブリ４０との間でスライド操作時に摺動抵抗を付与する摺動抵抗付与構造を採用する。一例として、サンバイザ本体２０におけるガイド部Ｇをガイドレール２５とし、このガイドレール２５にスライド収容されるサポートアッセンブリ４０の係合部４３の前後端にバネ部材４５をインサートした摺動片４４をガイドレール２５の内壁面に弾接する構造を採用する。【選択図】図４
2010179693.tif 000002
【特許請求の範囲】
【請求項１】
日除機能を有するサンバイザ本体（２０）をシャフト（３０）により回動可能に支持して構成されるとともに、上記サンバイザ本体（２０）内には、シャフト（３０）を軸受けするサポートアッセンブリ（４０）が内装され、このサポートアッセンブリ（４０）をシャフト（３０）の軸方向に沿ってスライド自在に収容するガイド部（Ｇ）がサンバイザ本体（２０）に設けられていることにより、サンバイザ本体（２０）をスライド可能に支持してなるスライド式サンバイザ（１０）において、
前記サンバイザ本体（２０）のガイド部（Ｇ）には、中空状のガイドレール（２５）が形成され、前記ガイドレール（２５）の上面に長手方向に沿って開口したスリット（２６）が設けられ、サポートアッセンブリ（４０）の下部から垂下する接続片（４６）が形成され、前記接続片（４６）の端部には、前記ガイドレール（２５）の中空部に挿入される係合部（４３）が形成されていることを特徴とするスライド式サンバイザ。
【請求項２】
前記サンバイザ本体（２０）におけるガイドレール（２５）の両側壁（２５ａ）をシャフト（３０）側に延長した立ち上げプレート（２５ｂ）を設け、前記立ち上げプレート（２５ｂ）内面側にサポートアッセンブリ（４０）に設けられたリブ（４７）を当接させたことを特徴とする請求項１に記載のスライド式サンバイザ。
【請求項３】
前記サンバイザ本体（２０）におけるサポートアッセンブリ（４０）に設けられた係合部（４３）には、前記ガイドレール（２５）の中空内面に弾性当接する摺動片（４４）が一箇所以上設けられていることを特徴とする請求項１又は２に記載のスライド式サンバイザ。
【発明の詳細な説明】
【技術分野】
【０００１】
この発明は、遮光範囲の変更を可能にしたスライド式サンバイザに係り、特に、所望のスライド位置でサンバイザ本体を確実に位置決め保持できるとともに、スライド操作時における感触を良好に維持でき、快適な操作感触が期待できるスライド式サンバイザに関する。
【背景技術】
【０００２】
通常、運転席、助手席の斜め上方には、直射日光や夜間の対向車のライトからの眩惑を防止するためにサンバイザが設けられている。そして、走行時において、西日対策等で車両のサイド側から侵入してくる光を遮ることが求められる場合には、サンバイザをサイドウインドウとほぼ平行に左右側に旋回して使用している。この時、車両の前後方向に遮光位置を移動可能とすることで、側方からの遮光性を高めたスライド式サンバイザが多用される傾向にある。
【０００３】
そして、この種のスライド式サンバイザ１は、図７に示すように、所望の遮光面積を有するサンバイザ本体２がシャフト３により回動可能に支持されており、このシャフト３は、車体側に固定されたブラケット３ａ内に回動自在に挿通されており、シャフト３周りにサンバイザ本体２を上下方向に回動操作可能であるとともに、ブラケット３ａ内でシャフト３を軸心周りに回動させることにより、フロントウインドウとサイドウインドウ間でサンバイザ本体２を左右方向に展開操作することが可能な構成が採用されている。
【０００４】
更に、上述したように、スライド式サンバイザ１においては、シャフト３に対してサンバイザ本体２を図７中矢印方向にスライド可能に支持するために、シャフト３を軸受けするサポートアッセンブリ４がサンバイザ本体２内のガイド部５内でシャフト３の軸方向に沿ってスライド自在な構成が採用されている。すなわち、図８に示すように、サンバイザ本体２の構造として、シェル状の樹脂芯材同士を接合して、内部に中空部を有する軽量でかつ剛性に優れたサンバイザ本体２が採用されており、シェル状の樹脂芯材同士を接合するため、内部にスペースが形成され、このスペースをサポートアッセンブリ４のスライド空間として有効に利用している。上述したスライド式サンバイザの構成については特許文献１に示されている。
【先行技術文献】
【特許文献】
【０００５】
【特許文献１】特開２００４−９８８３号公報
【発明の概要】
【発明が解決しようとする課題】
【０００６】
上述したように、従来のスライド式サンバイザ１においては、特に、西日対策時には、シャフト３をブラケット３ａ周りに回動操作し、サンバイザ本体２がサイドウインドウとほぼ平行となるように左右側に展開操作した後、サンバイザ本体２をシャフト３の軸方向に沿って適正位置にスライド操作する必要がある。しかしながら、サンバイザ本体２をシャフト３に対してスライド操作する際、ストッパーがないため、サンバイザ本体２をシャフト３に対して所望のスライド位置で保持することができず、走行中の振動等により、サンバイザ本体２が自由に移動してしまうことから、所望の遮光位置での遮光機能を果たすことができず、機能的に問題があるとともに、スライド操作時の感触が悪く、操作感触においても満足のいくものではなかった。
【０００７】
この発明は、このような事情に鑑みてなされたもので、シャフトの軸方向に沿ってサンバイザ本体をスライド操作して、遮光範囲を変更できるスライド式サンバイザにおいて、所望のスライド位置でサンバイザ本体を確実に位置決め保持することができるとともに、スライド操作時において、良好な操作感触が得られ、操作性を高めることができるスライド式サンバイザを提供することを目的としている。
【課題を解決するための手段】
【０００８】
上記課題を解決するために、本発明は、日除機能を有するサンバイザ本体をシャフトにより回動可能に支持して構成されるとともに、上記サンバイザ本体内には、シャフトを軸受けするサポートアッセンブリが内装され、このサポートアッセンブリをシャフトの軸方向に沿ってスライド自在に収容するガイド部がサンバイザ本体に設けられていることにより、サンバイザ本体をスライド可能に支持してなるスライド式サンバイザにおいて、前記サンバイザ本体のガイド部には、中空状のガイドレールが形成され、前記ガイドレールの上面に長手方向に沿って開口したスリットが設けられ、サポートアッセンブリの下部から垂下する接続片が形成され、前記接続片の端部には、前記ガイドレールの中空部に挿入される係合部が形成されていることを特徴とする。
【０００９】
ここで、サポートアッセンブリは、樹脂成形体からなり、シャフトを軸受けする軸受孔を備えたサポート本体と、サポート本体に装着され、シャフトの外周面に弾接し、シャフトの軸周りにサンバイザ本体を回動操作する際の回動トルク力を付与する略Ｕ字状に曲成された回動トルク用板バネとから構成されている。
【００１０】
また、サンバイザ本体は、所望の面積の遮光機能を備えるとともに、内部にサポートアッセンブリをシャフトの軸方向に沿ってスライド収容できるガイド部としてのスペースを備えたものであれば構造は限定しないが、特に好ましい構造としては、中空状の樹脂芯材の表面にサンバイザ表皮を被包して構成したものが良い。
【００１１】
この樹脂芯材は、シェル状の分割樹脂芯材を対称状の半割体として使用し、半割体同士の各湾曲外面を外側に向けて双方の半割体を接合して構成することができる。また、半割体をヒンジ部を介して一体化し、このヒンジ部を基に折曲可能に接合できるように構成することもできる。各半割体の内面には、一方側に係止爪、他方側にそれを受ける係止部が設けられ、双方の分割樹脂芯材同士を位置決めして合わせれば、これら係止部と係止爪の係着作用により、簡単にサンバイザ本体を組み付けることができる。
【００１２】
次に、シャフトを回動自在に軸受けするサポートアッセンブリは、サンバイザ本体内部のガイド部にシャフトの軸方向に沿ってスライド自在に収容支持されている。そして、本発明においては、サンバイザ本体のガイド部とサポートアッセンブリとの間にサンバイザ本体のスライド操作時において、摺動抵抗が生じるように摺動抵抗付与構造が採用されている。例えば、摺動抵抗付与構造の一例として、サンバイザ本体のガイド部にシャフトの軸方向に沿って延びる中空状のガイドレールが設けられており、サポートアッセンブリには、サポート本体の下側に上記ガイドレールにスライド自在に収容される係合部が接続片を介して一体化され、この係合部の前後端又は中央部の少なくとも一箇所には、外方に突出する湾曲状の摺動片が形成されており、この摺動片とガイドレール内壁面との間の摺動抵抗により、サンバイザ本体をシャフトの軸方向に沿ってスライド操作する際のスライド感触が良好に維持でき、かつ所望のスライド位置でシャフトに対してサンバイザ本体を確実に位置決め保持することができる。更に、摺動片の内側に弓状のバネ鋼板を素材としたバネ部材がインサートされていることにより、更に安定した摺動抵抗が得られる。
【発明の効果】
【００１３】
以上説明した通り、本発明に係るスライド式サンバイザは、シャフトを軸受けするサポートアッセンブリをサンバイザ本体のガイド部内でシャフトの軸方向に沿ってスライド自在に収容保持したスライド式サンバイザであって、特に、サポートアッセンブリとサンバイザ本体のガイド部との間には、サンバイザ本体のスライド操作時に両者の間で摺動抵抗が発生する摺動抵抗付与構造が採用されているため、所望のスライド位置でサンバイザ本体をシャフトに対して適切に保持でき、走行中の振動等によりサンバイザ本体が移動することがなく、優れた遮光機能を発揮することができるとともに、サンバイザ本体をスライド操作する際、適切な摺動抵抗が得られ、操作時の感触が良く、操作性能を高めることができるという効果を有する。
【図面の簡単な説明】
【００１４】
【図１】本発明に係るスライド式サンバイザの一実施例を示すもので、サイドウインドウ側に展開した状態を示す正面図である。
【図２】図１に示すスライド式サンバイザにおいて、サンバイザ本体を後方側にスライド操作した状態を示す正面図である。
【図３】図１中III −III 線断面図である。
【図４】図１に示すスライド式サンバイザにおけるサポートアッセンブリの支持構造を示す説明図である。
【図５】図１に示すスライド式サンバイザにおけるサポートアッセンブリの支持構造を示す平面図である。
【図６】図１に示すスライド式サンバイザにおけるサポートアッセンブリの変形例を示す断面図である。
【図７】従来のスライド式サンバイザを示す正面図である。
【図８】図７中VIII−VIII線断面図である。
【発明を実施するための形態】
【００１５】
以下、本発明に係るスライド式サンバイザの好適な実施例について、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００１６】
図１乃至図６は本発明に係るスライド式サンバイザの一実施例を示すもので、図１，図２は本発明に係るスライド式サンバイザのサイドウインドウ側に位置決めした状態を示す正面図であり、図１はサンバイザ本体にシャフトを収納した状態、図２はサンバイザ本体よりシャフトを伸長させた状態をそれぞれ示す正面図である。また、図３乃至図５は本発明に係るスライド式サンバイザにおけるサポートアッセンブリの構成を示すもので、図３は断面図、図４は斜視図、図５は平面図であり、図６はサポートアッセンブリの支持構造の変形例を示す断面図である。
【００１７】
図１，図２において、本発明に係るスライド式サンバイザ１０は、サンバイザ本体２０がシャフト３０に回動自在に支持され、シャフト３０は、ブラケット３１に挿通支持され、ブラケット３１が車体パネルの天井部分に取り付けられている。尚、図１，図２はそれぞれサイドウインドウと平行に位置決めされた状態を示しているが、上記スライド式サンバイザ１０の基本的な動作形態について説明する。まず、シャフト３０の軸周りにサンバイザ本体２０は上下方向に回動可能であり、サンバイザ本体２０を図示しない天井面に格納するとともに、下方向に回動操作して、フロントウインドウと略平行に位置決めすることができる。また、ブラケット３１内でシャフト３０を軸周りに回動させることで、フロントウインドウとサイドウインドウ側にそれぞれ左右方向にサンバイザ本体２０を展開操作することもできる。
【００１８】
上記シャフト３０周りにサンバイザ本体２０を支持する支持構造について説明する。シャフト３０はサンバイザ本体２０内部に内装されているサポートアッセンブリ４０に回動自在に軸受けされている。そして、本発明に係るスライド式サンバイザ１０は、図１に示すサンバイザ本体２０にシャフト３０を収納した状態の位置と図２に示すサンバイザ本体２０よりシャフト３０を伸長させた状態の位置との間で図２中符号Ｌで示す寸法分スライドストロークが設定されており、図１と図２に示すそれぞれの遮光位置を変更するために、サポートアッセンブリ４０はサンバイザ本体２０のガイド部Ｇ内でスライド可能に収容されている。
【００１９】
次いで、サンバイザ本体２０の具体的な構成及びサポートアッセンブリ４０の支持構造について図３乃至図５を基に説明する。ところで、本発明に係るスライド式サンバイザ１０は、シャフト３０の軸方向に沿って、すなわち図１中矢印方向に沿ってサンバイザ本体２０をスライド操作することにより、遮光範囲を図１，図２のようにそれぞれ任意に変更できるようにしたものであり、特に、所望のスライド位置でサンバイザ本体２０を確実に位置決め保持でき、走行中の振動等によりサンバイザ本体２０がシャフト３０の軸方向にずれたりすることがなく、所望の遮光機能が得られるとともに、スライド操作時においては、適切な摺動抵抗により良好な感触をもたらすように工夫されている。
【００２０】
上記サンバイザ本体２０の構成としては、図３に示すように、シェル状の分割樹脂芯材２１Ａ，２１Ｂのそれぞれ湾曲外面を外側に向けて両者を接合することにより、中空状の樹脂芯材２１を構成し、この樹脂芯材２１の外表面をクロス、不織布等のサンバイザ表皮２２により被包して構成されている。尚、この実施例では、シェル状の分割樹脂芯材２１Ａ，２１Ｂをヒンジ部２１Ｃを基に折返し接合することにより、中空状の樹脂芯材２１を構成している。そして、樹脂芯材２１を構成する各分割樹脂芯材２１Ａ，２１Ｂには、一方側に係止爪２３Ａ、他方側にそれを受ける係止部２３Ｂが形成され、係止爪２３Ａと係止部２３Ｂとの係着作用により、両者が組み付けられるが、この実施例においては、サポートアッセンブリ４０をスライド自在に支持するために、係止爪２３Ａと係止部２３Ｂとの係着部と、上方向に間隔をあけてそれぞれ分割樹脂芯材２１Ａ，２１Ｂの内面に対応して突設したリブ２４との間に中空状に形成されたガイドレール２５が収容固定されている。そして、このガイドレール２５の上面に長手方向に沿って開口したスリット２６が設けられている。
【００２１】
一方、サポートアッセンブリ４０は、樹脂成形体からなるサポート本体４１と、サポート本体４１に装着されるＵ字状の板バネ４２とからなり、サポート本体４１の軸受孔内にシャフト３０を挿入することにより、シャフト３０がサポートアッセンブリ４０に回動可能に軸受けされ、シャフト３０の外周面の一部を板バネ４２で弾接することにより、サンバイザ本体２０をシャフト３０周りに回動操作する際の回動トルク力が得られる。
【００２２】
そして、本発明では、サポートアッセンブリ４０がシャフト３０と一体化した状態でサンバイザ本体２０のガイド部Ｇ内をサポートアッセンブリ４０がシャフト３０の軸方向に沿ってスライドできるように、サポート本体４１の下側には、サンバイザ本体２０のガイドレール２５内にスライド収容される係合部４３が接続片４６を介して一体化されている。更に、この係合部４３の前後端側には、それぞれ両側が湾曲状に外方に向けて折曲形成され、ガイドレール２５の内壁に摺接する摺動片４４が形成され、更に摺動抵抗を安定化させるために左右の摺動片４４にかけて弓状のバネ鋼板を素材としたバネ部材４５がインサートされている。従って、図４，図５に示すように、サンバイザ本体２０をシャフト３０の軸方向に沿ってスライド操作した際、サンバイザ本体２０のガイドレール２５の内面に対してサポートアッセンブリ４０における摺動片４４がバネ部材４５のバネ圧により適切な摺動圧で弾接し、サンバイザ本体２０を所望のスライド位置で保持できるとともに、摺動片４４による摺動抵抗により、良好なスライド感触が得られる。
【００２３】
次に、図６は、サポートアッセンブリ４０の支持構造の変形例を示すもので、サンバイザ本体２０の内部に収容固定されるガイドレール２５の両側壁２５ａを上方に立ち上げた立ち上げプレート２５ｂによりサポートアッセンブリ４０におけるサポート本体４１の両面を支持することで、サポートアッセンブリ４０の支持強度を強化した変形例である。そして、この変形例においては、サンバイザ本体２０のスライド操作時において、ガイドレール２５に対してサポートアッセンブリ４０における摺動片４４を弾接するとともに、サポートアッセンブリ４０におけるサポート本体４１に一体に設けたリブ４７の両面をガイドレール２５に一体化させた立ち上げプレート２５ｂにより支持したため、より良好なスライド感触が期待できるとともに、サンバイザ本体２０の剛性を上げることができ、サンバイザ１０の操作時に樹脂芯材２１が変形することを防止することができる。
【産業上の利用可能性】
【００２４】
以上説明した実施例は、シェル状の分割樹脂芯材２１Ａ，２１Ｂ同士を接合してサンバイザ本体２０を構成したが、中空ケース状のガイド部をインサートした中実状のサンバイザ本体を適用することもできる。更に、この実施例における摺動片４４は、係合部４３の前後双方に設けたが、一方側のみに設けても良い。
【符号の説明】
【００２５】
１０  スライド式サンバイザ
２０  サンバイザ本体
２１  樹脂芯材
２２  サンバイザ表皮
２３Ａ  係止爪
２３Ｂ  係止部
２４  リブ
２５  ガイドレール
２５ａ  両側壁
２５ｂ  立ち上げプレート
２６  スリット
２７  ガイドリブ
３０  シャフト
３１  ブラケット
４０  サポートアッセンブリ
４１  サポート本体
４２  板バネ
４３  係合部
４４  摺動片
４５  バネ部材
４６  接続片
４７  リブ
Ｇ  ガイド部
【図１】
2010179693.tif 000003
【図２】
2010179693.tif 000004
【図３】
2010179693.tif 000005
【図４】
2010179693.tif 000006
【図５】
2010179693.tif 000007
【図６】
2010179693.tif 000008
【図７】
2010179693.tif 000009
【図８】
2010179693.tif 000010